(57)【要約】【課題】可動関節を少なくして構造を簡単にした排出装置を有する玉貸し機を提供する。【解決手段】玉貸し機１の前面に、連結部２、玉排出ノズル回転軸部材３、玉排出ノズル部材４、玉排出口部材５および玉出口延長部材６を備えた排出装置を設け、水平旋回軸心を有して鉛直面に沿った方向にのみ１段階の旋回動作で退避できるようにした。玉排出ノズル回転軸部材３を柔軟性のある材料または柔軟性を有する形状に形成することにより、パチンコ機の開閉に伴って排出装置に水平方向の外力が加わった場合でも、その外力は玉排出ノズル回転軸部材３が撓むことで吸収され、水平方向への退避動作をする。【選択図】        図２
2004283413.tif 000002
【特許請求の範囲】
【請求項１】
上段に景品用パチンコ玉の第１の受皿と下段に景品交換用パチンコ玉の第２の受皿を有するパチンコ機の横に併置され、投入金額に応じて貸し玉用パチンコ玉を前記第１の受皿に排出する玉貸し機において、
前記玉貸し機の前面に設けられ、水平旋回軸心を有して鉛直面に沿った方向にのみ旋回できる排出装置を備え、
前記排出装置は、本体から玉貸し用パチンコ玉が排出される通路に合わせて形成された玉通路と、前記玉通路の下流側に形成された前記水平旋回軸心と同心の筒状縁端部に前記玉通路と連通状態で回動自在に遊嵌されるとともに前記筒状縁端部に遊嵌されている側と反対側の側面に突設された回転軸を有する関節部材と、前記関節部材と一体に形成されて前記玉通路からの前記貸し玉用パチンコ玉を前記第１の受皿の上方まで導く玉排出ノズル部材が連結される玉排出ノズル回転軸部材と、前記関節部材の前記回転軸を軸支する軸受を有するカバーとを有していることを特徴とする玉貸し機。
【請求項２】
前記関節部材の旋回範囲を規制する垂直位置規制用ストッパおよび水平位置規制用ストッパを有していることを特徴とする請求項１記載の玉貸し機。
【請求項３】
前記関節部材は、垂直位置規制用ストッパとの当接位置にて前記玉排出ノズル回転軸部材の自由旋回を抑制するラッチ部を有していることを特徴とする請求項２記載の玉貸し機。
【請求項４】
前記玉排出ノズル部材は、水平方向の外力に対して撓むことができるよう柔軟性のある弾性部材によって形成されていることを特徴とする請求項１記載の玉貸し機。
【請求項５】
前記玉排出ノズル部材は、水平方向の外力に対して撓むことができるよう長手方向に肉厚を変化させて蛇腹管の構造にすることにより柔軟性を持たせていることを特徴とする請求項１記載の玉貸し機。
【発明の詳細な説明】
【０００１】
【発明の属する技術分野】
本発明は隣接するパチンコ機の間に個々のパチンコ機と１対１で対応させて配置される台間の玉貸し機に関し、特に玉貸し用パチンコ玉を、直接対応するパチンコ機の景品用パチンコ玉の受皿に供給する排出装置がパチンコ機の開放時の退避を可能にした玉貸し機に関する。
【０００２】
【従来の技術】
パチンコ遊技店においては、上段に景品用パチンコ玉の受皿と下段に景品交換用パチンコ玉の受皿を有するパチンコ機に対して、これに隣接する他のパチンコ機との間に投入金額に応じて貸し玉用パチンコ玉を排出する玉貸し機が１対１で設けられ、これらのパチンコ機と玉貸し機との対が島方向に連続して設置されている。
【０００３】
この各玉貸し機は、投入金額に応じて、玉貸し機の前面から対応するパチンコ機の景品用パチンコ玉の受皿に直接玉貸し用パチンコ玉を排出可能とした排出装置が設けられている。
【０００４】
図７は従来の台間の玉貸し機の排出装置の動作状態を示す斜視図、図８は従来の台間の玉貸し機の排出装置の水平旋回機構を示す部分拡大断面図、図９は従来の台間の玉貸し機の排出装置の鉛直旋回機構を示す部分断面図である。
【０００５】
隣接するパチンコ機の間に配置される従来の台間の玉貸し機１０１は、その前面に排出装置１０２が設けられて、パチンコ機の上段に形成された景品用パチンコ玉の受皿に投入された金額に応じた数の玉貸し用パチンコ玉を排出可能に構成されている。
【０００６】
排出装置１０２は、本体前面に設けられた玉排出ノズル回転軸部材１０３と、この玉排出ノズル回転軸部材１０３を通過して排出された玉貸し用パチンコ玉を景品用パチンコ玉の受皿の上まで導くよう先端が下方に若干傾斜した樋状の玉排出ノズル部材１０４と、この玉排出ノズル部材１０４によって導かれた玉貸し用パチンコ玉を景品用パチンコ玉の受皿に確実に落下させる玉排出口延長部材１０５とを備え、樋状の玉排出ノズル部材１０４の上部には、玉排出ノズルカバー部材１０６によってカバーされている。
【０００７】
玉排出ノズル回転軸部材１０３は、垂直旋回軸心を有し、玉貸し機本体に対して水平方向に旋回可能に取り付けられている。また、玉排出ノズル回転軸部材１０３には、水平旋回軸心１０７を有し、玉排出ノズル部材１０４が、玉排出ノズル回転軸部材１０３に対して鉛直方向に旋回可能に取り付けられている（たとえば、特許文献１参照。）。
【０００８】
玉排出ノズル回転軸部材１０３は、図８に示したように、玉貸し機１０１の内部の玉計数機を通過した玉貸し用パチンコ玉１０８が本体から排出される位置に、垂直旋回軸心１０９（図９参照）を有する水平旋回用関節部材１１０を備えている。この水平旋回用関節部材１１０は、垂直旋回軸心１０９と同心の筒状の形状を有していて、その円周方向には、玉排出ノズル回転軸部材１０３の水平旋回範囲に対応して玉通路１１１が開口していて、本体から排出された玉貸し用パチンコ玉１０８を受け入れるようにしている。
【０００９】
玉排出ノズル回転軸部材１０３の水平旋回用関節部材１１０に取り付けられた玉排出ノズル部材１０４は、これが水平状態にあるときは、内部の樋状の通路が玉通路１１１と連絡しており、図９に示した垂直状態にあるときは、内部の樋状の通路が玉飛び出し防止部材１１２によって遮断されるようになっている。
【００１０】
このように、排出装置１０２は、垂直旋回軸心１０９により玉排出ノズル部材１０４を水平方向に旋回可能にしたことにより、メンテナンスなどでパチンコ機前面のガラス板を前方に開放するときに、排出装置１０２が前方へ水平旋回することができるようにして、ガラス板がぶつかることによる損傷を防止している。また、排出装置１０２は、水平旋回軸心１０７により玉排出ノズル部材１０４を鉛直方向に旋回可能にしたことにより、パチンコ機の前方の通路側に飛び出している玉排出ノズル部材１０４を鉛直方向に退避させることができ、遊技者等の動作に支障を及ぼすことがないようにしている。
【００１１】
【特許文献１】
実用新案登録第２５２５１３４号公報（段落番号〔００１８〕〜〔００１９〕，図１）
【００１２】
【発明が解決しようとする課題】
しかしながら、従来の玉貸し機では、パチンコ機を前方へ開放するときの対応は排出装置を鉛直旋回軸心により水平方向に旋回をさせ、更に、排出装置を途中より水平旋回軸心により鉛直方向に旋回させる２段階の動作が必要であるため、可動関節が多く、それに伴い構造が複雑となるという問題点があった。
【００１３】
本発明はこのような点に鑑みてなされたものであり、可動関節を少なくして構造を簡単にした排出装置を有する玉貸し機を提供することを目的とする。
【００１４】
【課題を解決するための手段】
本発明では上記問題を解決するために、上段に景品用パチンコ玉の第１の受皿と下段に景品交換用パチンコ玉の第２の受皿を有するパチンコ機の横に併置され、投入金額に応じて貸し玉用パチンコ玉を前記第１の受皿に排出する玉貸し機において、前記玉貸し機の前面に設けられ、水平旋回軸心を有して鉛直面に沿った方向にのみ旋回できる排出装置を備え、前記排出装置は、本体から玉貸し用パチンコ玉が排出される通路に合わせて形成された玉通路と、前記玉通路の下流側に形成された前記水平旋回軸心と同心の筒状縁端部に前記玉通路と連通状態で回動自在に遊嵌されるとともに前記筒状縁端部に遊嵌されている側と反対側の側面に突設された回転軸を有する関節部材と、前記関節部材と一体に形成されて前記玉通路からの前記貸し玉用パチンコ玉を前記第１の受皿の上方まで導く玉排出ノズル部材が連結される玉排出ノズル回転軸部材と、前記関節部材の前記回転軸を軸支する軸受を有するカバーとを有していることを特徴とする玉貸し機が提供される。
【００１５】
このような玉貸し機によれば、排出装置は、１段階の鉛直方向の旋回動作でパチンコ機の前面から退避できるよう鉛直方向の旋回が可能な１つの可動関節で構成した。これにより、可動関節の構造が簡単になり、玉貸し機のコストを低減できる。
【００１６】
【発明の実施の形態】
以下、本発明の実施の形態を図面を参照して詳細に説明する。
図１は本発明の台間の玉貸し機の全体構造を示す斜視図、図２は排出装置の動作状態を示す図、図３は排出装置が鉛直方向に退避したときの状態を示す断面図、図４は排出装置の関節部分を示す部分拡大断面図、図５は排出装置が略水平位置まで旋回したときの使用状態を示す断面図である。
【００１７】
本発明による台間の玉貸し機１は、その前面に、連結部２を有し、その連結部２に玉排出ノズル回転軸部材３が鉛直方向にのみ旋回可能に取り付けられている。この玉排出ノズル回転軸部材３には、玉貸し用パチンコ玉を景品用パチンコ玉の受皿の上まで導く玉排出ノズル部材４が着脱自在に取り付けられ、この玉排出ノズル部材４の先端部には、玉排出口部材５が着脱自在に取り付けられている。そして、この玉排出口部材５には、玉出口延長部材６が吊設されている。この連結部２、玉排出ノズル回転軸部材３、玉排出ノズル部材４、玉排出口部材５および玉出口延長部材６により、玉貸し機１の排出装置を構成している。
【００１８】
この排出装置は、図２に示したように、連結部２に取り付けられた玉排出ノズル回転軸部材３が鉛直方向に旋回可能になっている。これにより、玉貸し用パチンコ玉を景品用パチンコ玉の受皿に補給するときには、玉排出ノズル回転軸部材３を水平よりも若干先端が下方へ傾斜した状態まで旋回することができる。また、遊技中の邪魔になるとき、あるいはメンテナンスなどでパチンコ機のガラス板を前方へ開けるときは、玉排出ノズル回転軸部材３を旋回させて起立させることができる。
【００１９】
玉排出ノズル回転軸部材３は、図３に示したように、その基部に水平旋回軸心を有する円筒状の鉛直旋回用の関節部材７が一体に形成され、その外周の一部には、玉排出ノズル回転軸部材３の旋回範囲に相当する範囲にわたって波形に形成された係合部８を有している。連結部２には、その関節部材７の係合部８に係合されるラッチ部９が設けられている。
【００２０】
連結部２は、図４に示したように、図示しない玉計数機を出た玉貸し用パチンコ玉１０を導入する玉通路１１が前面（図４の右側）方向に若干下方へ傾斜して形成され、その玉通路１１の下流側の筒状縁端部には、玉排出ノズル回転軸部材３と一体に形成された関節部材７が回動自在に遊嵌されている。関節部材７は、その外側の側面に、連結部２の水平旋回軸心と同心の回転軸１２が突設され、この回転軸１２は、連結部２のカバー１３に一体に形成された軸受に支持されている。また、関節部材７は、その内側の側面が玉通路１１に開口していて、玉計数機から玉通路１１を通って流れてきた玉貸し用パチンコ玉１０を受け入れるようにしている。
【００２１】
また、連結部２は、図３および図５に示したように、排出装置の旋回範囲を規制する垂直位置規制用ストッパ１４および水平位置規制用ストッパ１５が一体に形成されている。したがって、排出装置は、その水平旋回軸心を中心に鉛直面の方向に旋回することができ、排出装置を鉛直方向に旋回することにより、玉排出ノズル回転軸部材３と関節部材７との接合部が垂直位置規制用ストッパ１４に当接し、ラッチ部９によってその位置に保持される。排出装置の使用時は、玉排出ノズル回転軸部材３と関節部材７との接合部が水平位置規制用ストッパ１５に当接してその位置に保持される。また、排出装置の旋回途中で玉排出ノズル部材４が手から離れてしまったときに、自由に旋回してしまわないようラッチ部９が関節部材７の係合部８に係合してその回転位置で止めることができる。
【００２２】
このようにして、パチンコ機の前方へ飛び出している排出装置を使用しないときは、排出装置を鉛直方向に退避させることができ、これにより遊技者等の動作に支障を及ぼすことがないようにしている。
【００２３】
このように、鉛直方向にのみ旋回可能にした排出装置を使用中に、排出装置を退避させることなくパチンコ機の前面のガラスを開けた場合に、ガラスが排出装置に当たってしまうが、その場合の対策について説明する。
【００２４】
図６はパチンコ機の開閉に伴う外力が排出装置に加わったときの状態を示す図である。
排出装置の玉排出ノズル部材４は、パイプ形状を有していて、柔軟性のある樹脂やゴムなどの弾性部材によって形成されるか、あるいは、図示のように、長手方向に肉厚を変化させて蛇腹管の構造にすることにより柔軟性を持たせている。これにより、鉛直方向にしか旋回しない排出装置が水平状態に置かれた状態にあるとき、メンテナンスなどでパチンコ機前面のガラス板を前方に開放することにより、水平方向の外力が加わったとしても、玉排出ノズル部材４は水平方向に屈曲してその衝撃を吸収することができるので、ガラス板または排出装置が破損してしまうことを防止することができる。
【００２５】
【発明の効果】
以上説明したように、本発明では、玉貸し機の前面に設けた排出装置を、水平鉛直面に沿った方向にのみ旋回できる構成にした。これにより、排出装置は、旋回軸心が１ヶ所で、鉛直方向の旋回だけを可能にする可動関節を有すればよいので、構造が簡単になり、玉貸し機のコストを下げることができる。
【００２６】
また、排出装置は、中間の玉排出ノズル回転軸部材を柔軟性のあるものにすることにより、パチンコ機の開閉に伴う水平方向の外力が排出装置に加わった場合でも、玉排出ノズル回転軸部材が撓むことで外力を吸収し、水平方向へ退避させることができる。
【図面の簡単な説明】
【図１】本発明の台間の玉貸し機の全体構造を示す斜視図である。
【図２】排出装置の動作状態を示す図である。
【図３】排出装置が鉛直方向に退避したときの状態を示す断面図である。
【図４】排出装置の関節部分を示す部分拡大断面図である。
【図５】排出装置が略水平位置まで旋回したときの使用状態を示す断面図である。
【図６】パチンコ機の開閉に伴う外力が排出装置に加わったときの状態を示す図である。
【図７】従来の台間の玉貸し機の排出装置の動作状態を示す斜視である。
【図８】従来の台間の玉貸し機の排出装置の水平旋回機構を示す部分拡大断面図である。
【図９】従来の台間の玉貸し機の排出装置の鉛直旋回機構を示す部分断面図である。
【符号の説明】
１  玉貸し機
２  連結部
３  玉排出ノズル回転軸部材
４  玉排出ノズル部材
５  玉排出口部材
６  玉出口延長部材
７  関節部材
８  係合部
９  ラッチ部
１０  玉貸し用パチンコ玉
１１  玉通路
１２  回転軸
１３  カバー
１４  垂直位置規制用ストッパ
１５  水平位置規制用ストッパ
【図１】
2004283413.tif 000003
【図２】
2004283413.tif 000004
【図３】
2004283413.tif 000005
【図４】
2004283413.tif 000006
【図５】
2004283413.tif 000007
【図６】
2004283413.tif 000008
【図７】
2004283413.tif 000009
【図８】
2004283413.tif 000010
【図９】
2004283413.tif 000011